【手続補正書】
【提出日】平成29年1月31日(2017.1.31)
【手続補正１】
【補正対象書類名】明細書
【補正対象項目名】発明の名称
【補正方法】変更
【補正の内容】
【発明の名称】包装容器
【手続補正２】
【補正対象書類名】明細書
【補正対象項目名】０００１
【補正方法】変更
【補正の内容】
【０００１】
この発明はミシン目構造体を用いた包装容器に関し、特に使用前提領域から除去領域を分離するのに用いられるミシン目構造体を用いた包装容器に関するものである。
【手続補正３】
【補正対象書類名】明細書
【補正対象項目名】００１１
【補正方法】変更
【補正の内容】
【００１１】
この発明は、上記のような課題を解決するためになされたもので、使用に際して切断箇所に触れにくくなり、使用感が向上するミシン目構造体を用いた包装容器を提供することを目的とする。
【手続補正４】
【補正対象書類名】明細書
【補正対象項目名】００１２
【補正方法】変更
【補正の内容】
【００１２】
上記の目的を達成するために、請求項１記載の発明は、包装容器であって、合成樹脂よりなり、上部が開放され平面視八角形形状の容器本体と、合成樹脂よりなり、容器本体にヒンジ部を介して開閉自在に嵌合する、平面視八角形形状の蓋体とを備え、容器本体には、ヒンジ部に対向する辺であって、容器本体の上縁から外方に延びる第１のタブが形成され、蓋体には、蓋体の下縁から外方に延び、容器本体との嵌合時に第１のタブと少なくとも一部が重なりあう第２のタブと、蓋体の下縁から外方に延び、第２のタブが形成された辺に隣接する辺に形成されたつまみとが形成され、容器本体及び蓋体のうち、蓋体のみにつまみが形成されており、第１のタブは、使用前提領域と除去領域とを有し、これらの境界に形成されると共に波形形状に形成されるミシン目を有する第１のミシン目構造体よりなり、第２のタブは、使用前提領域と除去領域とを有し、これらの境界に形成されると共に波形形状に形成されるミシン目を有する第２のミシン目構造体よりなり、第１のミシン目構造体及び第２のミシン目構造体は、それぞれ、ミシン目を構成する、間隔を隔てて形成される少なくとも２つの開口部と、開口部の各々の間に位置する被切断部とを備え、開口部であって隣接する少なくとも２つは、それぞれ、開口を構成する縁の１つであって使用前提領域側の縁である特定縁を含み、被切断部は、隣り合う開口部の特定縁の各々で形成される波形形状のそれぞれに接する直線より使用前提領域側に位置するものであり、第１のミシン目構造体の第１のミシン目と第２のミシン目構造体の第２のミシン目とが重なるように配置され、第１のタブの第１の除去領域の少なくとも一部と第２のタブの第２の除去領域の少なくとも一部とが溶着されて一体化されるものである。
【手続補正５】
【補正対象書類名】明細書
【補正対象項目名】００１３
【補正方法】変更
【補正の内容】
【００１３】
このように構成すると、切断によって使用前提領域に残った切断箇所は、直線に対して内方側に位置する。又、切断後の開口部の外方側は曲線形状となる。更に、第１のミシン目と第２のミシン目とを併せて切断すると、蓋体が開閉可能になると共に容器本体及び蓋体の各々の切断部が内方側に位置する。
請求項２記載の発明は、請求項１記載の発明の構成において、容器本体及び蓋体は、互いに平面視八角形形状の全周において嵌合するものである。
請求項３記載の発明は、請求項１又は請求項２記載の発明の構成において、つまみは、容器本体及び蓋体が互いに嵌合する部分とは異なる位置に形成されているものである。
請求項４記載の発明は、請求項１から請求項３のいずれかに記載の発明の構成において、つまみは、第２のタブが形成された辺に隣接する辺にのみ形成されているものである。
【手続補正６】
【補正対象書類名】明細書
【補正対象項目名】００１４
【補正方法】変更
【補正の内容】
【００１４】
請求項５記載の発明は、請求項１から請求項４のいずれかに記載の発明の構成において、被切断部はミシン目の底部分に形成され、波形形状は、周期は４〜８ｍｍに設定されると共に曲率半径は１〜１．５ｍｍに設定されるものである。
【手続補正７】
【補正対象書類名】明細書
【補正対象項目名】００１５
【補正方法】変更
【補正の内容】
【００１５】
このように構成すると、切断後の被切断部に指が触れにくい。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】変更
【補正の内容】
【００２２】
以上説明したように、請求項１記載の発明は、切断によって使用前提領域に残った切断箇所は、直線に対して内方側に位置するので、使用に際して切断箇所に触れにくくなり、使用感が向上する。又、切断後の開口部の外方側は曲線形状となるので、外周が滑らかになり、より使用感が向上する。更に、第１のミシン目と第２のミシン目とを併せて切断すると、蓋体が開閉可能になると共に容器本体及び蓋体の各々の切断部が内方側に位置するので、使用に際しての容器本体及び蓋体のいずれも使用感が向上する。
【手続補正１５】
【補正対象書類名】明細書
【補正対象項目名】００２３
【補正方法】変更
【補正の内容】
【００２３】
請求項５記載の発明は、請求項１から請求項４のいずれかに記載の発明の効果に加えて、切断後の被切断部に指が触れにくいので、不用意にも被切断部に触れないので更に使用感が向上する。
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００４４
【補正方法】変更
【補正の内容】
【００４４】
すると、図５及び図７を参照して、第１の分離ミシン目５１及び第２の分離ミシン目５２の切断に伴い、第１のタブ４１及び第２のタブ４２の溶着部分（除去領域）が第１の分離ミシン目５１及び第２の分離ミシン目５２の内方部分における第１のタブ４１及び第２のタブ４２（使用前提領域）から分離・除去されるので、蓋体３２の開閉が可能となる。又、第１の分離ミシン目５１の被切断部６２及び第２の分離ミシン目５２の被切断部６６が上述のように位置しているため、容器本体３１及び蓋体３２の各々の切断部が容器本体３１及び蓋体３２側に位置し、バリ６３及び６７が蓋付包装容器３０の外周に突出しない。尚、蓋体３２の開閉はローレット加工されたつまみ３９を摘んで行う。
【手続補正２０】
【補正対象書類名】特許請求の範囲
【補正対象項目名】全文
【補正方法】変更
【補正の内容】
【特許請求の範囲】
【請求項１】
包装容器であって、
合成樹脂よりなり、上部が開放され平面視八角形形状の容器本体と、
合成樹脂よりなり、前記容器本体にヒンジ部を介して開閉自在に嵌合する、平面視八角形形状の蓋体とを備え、
前記容器本体には、前記ヒンジ部に対向する辺であって、前記容器本体の上縁から外方に延びる第１のタブが形成され、
前記蓋体には、前記蓋体の下縁から外方に延び、前記容器本体との嵌合時に前記第１のタブと少なくとも一部が重なりあう第２のタブと、前記蓋体の下縁から外方に延び、前記第２のタブが形成された辺に隣接する辺に形成されたつまみとが形成され、
前記容器本体及び前記蓋体のうち、前記蓋体のみに前記つまみが形成されており、
前記第１のタブは、使用前提領域と除去領域とを有し、これらの境界に形成されると共に波形形状に形成されるミシン目を有する第１のミシン目構造体よりなり、
前記第２のタブは、使用前提領域と除去領域とを有し、これらの境界に形成されると共に波形形状に形成されるミシン目を有する第２のミシン目構造体よりなり、
前記第１のミシン目構造体及び前記第２のミシン目構造体は、それぞれ、
前記ミシン目を構成する、間隔を隔てて形成される少なくとも２つの開口部と、
前記開口部の各々の間に位置する被切断部とを備え、
前記開口部であって隣接する少なくとも２つは、それぞれ、開口を構成する縁の１つであって前記使用前提領域側の縁である特定縁を含み、
前記被切断部は、隣り合う前記開口部の前記特定縁の各々で形成される前記波形形状のそれぞれに接する直線より前記使用前提領域側に位置するものであり、
前記第１のミシン目構造体の第１のミシン目と前記第２のミシン目構造体の第２のミシン目とが重なるように配置され、前記第１のタブの第１の除去領域の少なくとも一部と前記第２のタブの第２の除去領域の少なくとも一部とが溶着されて一体化される、包装容器。
【請求項２】
前記容器本体及び前記蓋体は、互いに前記平面視八角形形状の全周において嵌合する、請求項１記載の包装容器。
【請求項３】
前記つまみは、前記容器本体及び前記蓋体が互いに嵌合する部分とは異なる位置に形成されている、請求項１又は請求項２記載の包装容器。
【請求項４】
前記つまみは、前記第２のタブが形成された辺に隣接する辺にのみ形成されている、請求項１から請求項３のいずれかに記載の包装容器。
【請求項５】
前記被切断部は前記ミシン目の底部分に形成され、
前記波形形状は、周期は４〜８ｍｍに設定されると共に曲率半径は１〜１．５ｍｍに設定される、請求項１から請求項４のいずれかに記載の包装容器。